(57)【要約】【課題】本発明の課題は、光学変調表示装置において用いられる放電管の接続ケーブルを的確且つ廉価に係止することを課題とする。【解決手段】本願発明に係る光学変調表示装置用放電管保持具４１４は、光学変調表示装置において光源として用いられる放電管４１１の一端を保持するとともに、この放電管４１１の他端側に電気的に接続される接続ケーブル４１１を係止すべく、この接続ケーブルを挿入可能な開口部４１７が形成されていることを特徴する。【選択図】図６
2004212574.tif 000002
【特許請求の範囲】
【請求項１】
光学変調表示装置において光源として用いられ両端にそれぞれ接続ケーブルが電気的に接続される冷陰極管等の放電管の一端を保持可能に設けられ、
保持する放電管の他端側に電気的に接続される接続ケーブルを係止すべく、この接続ケーブルを挿入可能な開口部が形成されていることを特徴する光学変調表示装置用放電管保持具。
【請求項２】
請求項１記載の光学変調表示装置用放電管保持具であって、
前記開口部は、挿入された接続ケーブルの挿入反対方向への離脱を規制するように設けられていることを特徴とする光学変調表示装置用放電管保持具。
【請求項３】
請求項２記載の光学変調表示装置用放電管保持具であって、
前記開口部は、挿入口が内部よりも狭いことを特徴とする光学変調表示装置用放電管保持具。
【請求項４】
請求項１乃至３の何れかに記載の光学変調表示装置用放電管保持具であって、
係止する接続ケーブルの長手方向のスライドを規制するように設けられていることを特徴とする光学変調表示装置用放電管保持具。
【請求項５】
請求項４記載の光学変調表示装置用放電管保持具であって、
前記開口部の内部がテーパ状であることを特徴とする光学変調表示装置用放電管保持具。
【請求項６】
請求項１乃至５の何れかに記載の光学変調表示装置用放電管保持具であって、
前記放電管の一端を保持する保持具本体と、この保持具本体から突出して設けられた突出部とを備え、該突出部には、前記開口部が形成されていることを特徴とする光学変調表示装置用放電管保持具。
【請求項７】
光学変調表示装置において光源として用いられる冷陰極管等の放電管、該放電管の両端に電気的に接続される一対の接続ケーブル、及び、前記放電管の端部を保持する放電管保持具を備え、
前記放電管保持具は、保持する放電管の他端側に電気的に接続された前記接続ケーブルを挿入可能な開口部が形成され、該開口部に挿入着された接続ケーブルを係止するように設けられていることを特徴する光学変調表示装置用放電管ユニット。
【請求項８】
請求項７記載の光学変調表示装置用放電管ユニットであって、
前記放電管保持具の開口部は、挿入された接続ケーブルの挿入反対方向への離脱を規制するように設けられていることを特徴とする光学変調表示装置用放電管ユニット。
【請求項９】
請求項８記載の光学変調表示装置用放電管保持具であって、
前記放電管保持具の開口部は、挿入口が内部よりも狭いことを特徴とする光学変調表示装置用放電管ユニット。
【請求項１０】
請求項７乃至９の何れかに記載の光学変調表示装置用放電管ユニットであって、
前記放電管保持具は、係止する接続ケーブルの長手方向のスライドを規制するように設けられていることを特徴とする光学変調表示装置用放電管ユニット。
【請求項１１】
請求項１０記載の光学変調表示装置用放電管保持具であって、
前記開口部の内部がテーパ状であることを特徴とする光学変調表示装置用放電管ユニット。
【請求項１２】
請求項７乃至１１の何れかに記載の光学変調表示装置用放電管ユニットであって、
前記放電管保持具は、放電管の一端を保持する保持具本体と、この保持具本体から突出して設けられた突出部とを備え、該突出部には、前記開口部が形成されていることを特徴とする
光学変調表示装置用放電管ユニット。
【請求項１３】
請求項１２記載の光学変調表示装置用放電管ユニットであって、
前記放電管の光を反射する反射手段を有するとともに放電管保持具が装着された光源カバーを備え、
該光源カバーには、前記放電管保持具の突出部が挿入着される穿孔が形成されており、
前記突出部には、前記穿孔から突出した部位に前記開口部が形成されていることを特徴とする光学変調表示装置用放電管ユニット。
【請求項１４】
光学変調表示装置において光源として用いられる冷陰極管等の放電管、該放電管の両端に電気的に接続される一対の接続ケーブル、前記放電管の端部を保持する放電管保持具、及び、前記放電管の光を液晶層等の光シャッター層に光を導光する導光手段を備えた光学変調表示装置用ライトユニットであって、
前記放電管保持具は、保持する放電管の他端側に電気的に接続された前記接続ケーブルを挿入可能な開口部が形成され、該開口部に挿入着された接続ケーブルを係止するように設けられていることを特徴する光学変調表示装置用ライトユニット。
【請求項１５】
請求項１４記載の光学変調表示装置用ライトユニットであって、
前記放電管保持具の開口部は、挿入された接続ケーブルの挿入反対方向への離脱を規制するように設けられていることを特徴とする光学変調表示装置用ライトユニット。
【請求項１６】
請求項１５記載の光学変調表示装置用ライトユニットであって、
前記放電管保持具の開口部は、挿入口が内部よりも狭いことを特徴とする光学変調表示装置用ライトユニット。
【請求項１７】
請求項１４乃至１６の何れかに記載の光学変調表示装置用ライトユニットであって、
前記放電管保持具は、係止する接続ケーブルの長手方向のスライドを規制するように設けられていることを特徴とする光学変調表示装置用ライトユニット。
【請求項１８】
請求項１７記載の光学変調表示装置用ライトユニットであって、
前記開口部の内部がテーパ状であることを特徴とする光学変調表示装置用放電管ユニット。
【請求項１９】
請求項１４乃至１８の何れかに記載の光学変調表示装置用ライトユニットであって、
前記放電管保持具は、放電管の一端を保持する保持具本体と、この保持具本体から突出して設けられた突出部とを備え、該突出部には、前記開口部が形成されていることを特徴とする光学変調表示装置用ライトユニット。
【請求項２０】
請求項１９記載の光学変調表示装置用ライトユニットであって、
前記放電管の光を反射する反射手段を有するとともに放電管保持具が装着された光源カバーを備え、
該光源カバーには、前記放電管保持具の突出部が挿入着される穿孔が形成されており、
前記突出部には、前記穿孔から突出した部位に前記開口部が形成されていることを特徴とする光学変調表示装置用ライトユニット。
【請求項２１】
請求項２０又は２１記載の光学変調表示装置用ライトユニットであって、
前記放電管、この放電管の両端を保持する一対の放電管保持具、及び、放電管の両端にそれぞれ接続された一対の接続ケーブルが一体化された放電管ユニットを備え、
ライトユニット本体には、前記放電管ユニットが着脱可能にスライド挿入される放電管ユニット収容部が形成されており、
前記放電管ユニットの両端の放電管保持具のうち、放電管ユニット収容部の開放側の放電管保持具には前記突出部が形成され、他方側の放電管保持具には前記突出部が形成されていないことを特徴とする光学変調表示装置用ライトユニット。
【請求項２２】
光源として用いられ両端にそれぞれ接続ケーブルが電気的に接続された冷陰極管等の放電管、及び、この放電管の光が照射される液晶層等の光シャッター層を有する液晶表示装置等の光学変調表示装置であって、
前記放電管の端部を保持するとともに、この放電管の他端側に電気的に接続される接続ケーブルを挿入可能な開口部が形成され、該開口部に挿入着された接続ケーブルを係止する放電管保持具を有することを特徴する光学変調表示装置。
【請求項２３】
請求項２２記載の光学変調表示装置であって、
前記放電管保持具の開口部は、挿入された接続ケーブルの挿入反対方向への離脱を規制するように設けられていることを特徴とする光学変調表示装置。
【請求項２４】
請求項２３記載の光学変調表示装置であって、
前記放電管保持具の開口部は、挿入口が内部よりも狭いことを特徴とする光学変調表示装置。
【請求項２５】
請求項２２乃至２４の何れかに記載の光学変調表示装置であって、
前記放電管保持具は、開口部から挿入された接続ケーブルの長手方向のスライドを規制するように設けられていることを特徴とする光学変調表示装置。
【請求項２６】
請求項２５記載の光学変調表示装置であって、
前記開口部の内部がテーパ状であることを特徴とする光学変調表示装置。
【請求項２７】
請求項２２乃至２６の何れかに記載の光学変調表示装置であって、
前記放電管保持具は、放電管の一端を保持する保持具本体と、この保持具本体から突出して設けられた突出部とを備え、該突出部には、前記開口部が形成されていることを特徴とする光学変調表示装置。
【請求項２８】
請求項２７記載の光学変調表示装置であって、
前記放電管の光を反射する反射手段を有するとともに放電管保持具が装着された光源カバーを備え、
該光源カバーには、前記放電管保持具の突出部が挿入着される穿孔が形成されており、
前記突出部には、前記穿孔から突出した部位に前記開口部が形成されていることを特徴とする光学変調表示装置。
【請求項２９】
請求項２７又は２８記載の光学変調表示装置であって、前記放電管、この放電管の両端を保持する一対の放電管保持具、及び、放電管の両端にそれぞれ接続された一対の接続ケーブルが一体化された放電管ユニットを備え、
表示装置本体には、前記放電管ユニットが着脱可能にスライド挿入される放電管ユニット収容部が形成されており、
前記一対の放電管保持具のうち、放電管ユニット収容部の開放側の放電管保持具には前記突出部が形成され、他方側の放電管保持具には前記突出部が形成されていないことを特徴とする光学変調表示装置。
【発明の詳細な説明】
【０００１】
【発明の属する技術分野】
この発明は、液晶表示装置等の光学変調表示装置のライトユニットに関するものであり、より詳しくは、たとえばエッジランプ式の背面光源を備えた液晶表示装置用バックライトユニットに適したものである。
【０００２】
【従来技術及びその問題点】
電子機器として、例えば、携帯型パーソナルコンピュータ等に設けられた液晶表示装置は、液晶表示パネルと、この液晶表示パネルに重ねて配設されたバックライトユニットとを備えており、このバックライトユニットは、一般的に、光源としての冷陰極管を備える冷陰極管ユニット、及び、冷陰極管の光を前記液晶パネルに導光するための平板状の導光板等を備えている。この冷陰極管ユニットは、導光板の一端面に対向して配設され、冷陰極管ユニットからの光が導光板を介して液晶表示パネルに導かれるように設けられている。また、冷陰極管ユニットは、冷陰極管、冷陰極管の両端に電気的に接続される一対の接続ケーブル、冷陰極管の端部をそれぞれ保持する一対の放電管保持具、及び、この一対の放電管保持具が両端に装着される金属製の放電管カバーを備えている。この放電管カバーは、導光板の端面に対向する一方のみを開放して放電管を囲むような形状に加工され、その内面には反射膜が設けられている。そして、冷陰極管からの光は、直接あるいは反射膜により反射されて導光板内に入射し、導光板により液晶表示パネル全面に導かれるように設けられている。
【０００３】
また、前記放電管に接続される一対の接続ケーブルのうち、一方の接続ケーブルは、放電管カバーの背面側（放電管の存在しない側）を通り、他方の接続ケーブル（他方の放電管ホルダ）まで引き回されている。このようにして引き回した接続ケーブルは、バックライトユニットの組立時等に邪魔とならないように、放電管カバーの背面側に固定されるが、その固定の手段としては以下のものが採られている。
【０００４】
まず、第一の手段として、両面テープや片面テープ等の粘着テープにより接続ケーブルを放電管カバーの背面側に固定する手段がとられている。しかるに、かかる手段は、粘着テープを貼り付ける手数が必要で加工工数が増え、コストＵＰにつながっている。
【０００５】
また、第二の手段として、放電管カバーの背面側に樹脂製のケーブルホルダを取り付けて、このケーブルホルダにより接続ケーブルを固定する手段もとられている。しかるに、かかる手段は、ケーブルホルダという新たな部材が必要なため部品点数が増え、しかもケーブルホルダを取り付ける手数が必要で加工工数が増え、コストＵＰにつながっている。
【０００６】
また、第三の手段としては、放電管カバーの背面側に係合溝を形成して、この係合溝に接続ケーブルを収容するものも提案されている（例えば、特許文献１参照）。
【０００７】
【特許文献１】
特開平１１−１３３４０１号公報
【０００８】
しかしながら、上記公報記載の技術では、放電管カバーの形状が複雑なため、その加工に際する曲げ工程が増加し、コストＵＰにつながる。また、接続ケーブルを収容する係合溝は単なる凹みとして形成されているので、開放側からの離脱が極めて容易になされるという問題も存在する。かかる問題を解決するために、係合溝の開口側の溝幅を狭くすることも考えられるが、このような形状に曲げ加工を行うことは極めて困難であり、さらなるコストＵＰにつながる。
【０００９】
【発明が解決しようとする課題】
そこで、本願発明は、放電管に接続された接続ケーブルの固定を的確且つ廉価に行うことのできる光学変調表示装置用放電管保持具、光学変調表示装置用放電管ユニット、光学変調表示装置用ライトユニット、及び、光学変調表示装置を提供することを課題とする。
【００１０】
【課題を解決するための手段】
上記課題を解決すべく本発明はなされているものであって、本願発明に係る光学変調表示装置用放電管保持具は、光学変調表示装置において光源として用いられ両端にそれぞれ接続ケーブルが電気的に接続される冷陰極管等の放電管の一端を保持可能に設けられ、保持する放電管の他端側に電気的に接続される接続ケーブルを係止すべく、この接続ケーブルを挿入可能な開口部が形成されていることを特徴する。
【００１１】
また、本願発明に係る光学変調表示装置用放電管ユニットは、光学変調表示装置において光源として用いられる冷陰極管等の放電管、該放電管の両端に電気的に接続される一対の接続ケーブル、及び、前記放電管の端部を保持する放電管保持具を備え、前記放電管保持具は、保持する放電管の他端側に電気的に接続された前記接続ケーブルを挿入可能な開口部が形成され、該開口部に挿入着された接続ケーブルを係止するように設けられていることを特徴する。
【００１２】
また、本願発明に係る光学変調表示装置用ライトユニットは、光学変調表示装置において光源として用いられる冷陰極管等の放電管、該放電管の両端に電気的に接続される一対の接続ケーブル、前記放電管の端部を保持する放電管保持具、および、前記放電管の光を液晶層等の光シャッター層に光を導光する導光手段を備えた光学変調表示装置用ライトユニットであって、前記放電管保持具は、保持する放電管の他端側に電気的に接続された前記接続ケーブルを挿入可能な開口部が形成され、該開口部に挿入着された接続ケーブルを係止するように設けられていることを特徴する。
【００１３】
また、本願発明に係る光学変調表示装置は、光源として用いられ両端にそれぞれ接続ケーブルが電気的に接続された冷陰極管等の放電管、及び、この放電管の光が照射される液晶層等の光シャッター層を有する液晶表示装置等の光学変調表示装置であって、前記放電管の端部を保持するとともに、この放電管の他端側に電気的に接続される接続ケーブルを挿入可能な開口部が形成され、該開口部に挿入着された接続ケーブルを係止する放電管保持具を有することを特徴する。
【００１４】
上記構成からなる本願発明にあっては、放電管の他端側に電気的に接続された接続ケーブルを、一端側の放電管保持具の開口部から挿入着して係止することができる。このように、容易に接続ケーブルを係止することかでき、しかも、放電管保持具により他端側の接続ケーブルを係止するものゆえ、部品点数の増加を招かず、コストの低減を図ることができる。
【００１５】
また、上記構成からなる本願発明にあっては、請求項２、８、１５又は２３記載のように、前記開口部が、挿入された接続ケーブルの挿入反対方向への離脱を規制するように設けられていることが好ましい。これにより、挿入された接続ケーブルが不用意に放電管保持具から離脱しないため、光学変調表示装置の組立作業等を簡便に行い得るという利点を有する。
【００１６】
上記構成を採用する場合には、請求項３、９、１６又は２４記載のように、前記開口部の挿入口が内部よりも狭い構成を採用することができる。これにより、開口部の挿入口によって、内部に係止された接続ケーブルの離脱を規制することができる。
【００１７】
また、本願発明にあっては、請求項４、１０、１７又は２５記載のように、放電管保持具が、開口部から挿入された接続ケーブルの長手方向のスライドを規制するように設けられていることが好ましい。これにより、係止された接続ケーブルが長手方向にスライドしにくく、接続ケーブルが撓み難いため、光学変調表示装置の組立作業等をより簡便に行い得るという利点を有する。
【００１８】
上記構成を採用する場合には、請求項５、１１、１８又は２６記載のように、開口部の内部がテーパ状である構成を採用することができる。これにより、接続ケーブルがテーパ状の幅狭の部位に係止されることにより、接続ケーブルの長手方向へのスライドを規制することができる。
【００１９】
また、本願発明にあっては、請求項６、１２、１９又は２７記載のように、放電管の一端を保持する保持具本体と、この保持具本体から突出して設けられた突出部とを備え、該突出部には、前記開口部が形成されていることが好ましい。これにより、保持具本体から突出した突出部に設けられた開口部に接続ケーブルを挿入して係止することかでき、その係止作業が容易に行い得るという利点を有する。
【００２０】
また、本願発明に係る光学変調表示装置用放電管ユニットにあって、請求項１２記載の構成を採用した場合には、請求項１３記載の構成を採用することが好ましい。また、本願発明に係る光学変調表示装置用ライトユニットにあって、請求項１９記載の構成を採用した場合には、請求項２０記載の構成を採用することが好ましい。また同様に、本願発明に係る光学変調表示装置にあって、請求項２７記載の構成を採用した場合には、請求項２８記載の構成を採用することが好ましい。
つまり、放電管の光を反射する反射手段を有するとともに放電管保持具が装着された光源カバーを備え、該光源カバーには、前記放電管保持具の突出部が挿入着される穿孔が形成されており、前記突出部には、前記穿孔から突出した部位に前記開口部が形成されている構成を採用することが好ましい。
【００２１】
上記構成を採用することにより、開口部を有する放電管保持具の突出部は、光源カバーの穿孔から突出した部位に位置するため、この開口部に容易に接続ケーブルを係止することができる。また、光源カバーの穿孔に放電管保持具の突出部が嵌まり込むことにより、両者の位置決めも可能となる。さらに、光源カバーの背面側（光源カバーの光射出方向の反対側）に前記穿孔を形成することにより、該穿孔から突出した放電管保持具の突出部を利用して、極めて容易に放電管保持具を離脱することができ、分解等が必要な場合にその作業性が極めて容易となる。
【００２２】
また、本願発明に係る光学変調表示装置用ライトユニットにあって、請求項１９記載の構成を採用した場合には、請求項２１記載の構成を採用することが好ましい。つまり、放電管、この放電管の両端を保持する一対の放電管保持具、及び、放電管の両端にそれぞれ接続された一対の接続ケーブルが一体化された放電管ユニットを備え、ライトユニット本体には、前記放電管ユニットが着脱可能にスライド挿入される放電管ユニット収容部が形成されており、前記放電管ユニットの両端の放電管保持具のうち、放電管ユニット収容部の開放側の放電管保持具には前記突出部が形成され、他方側の放電管保持具には前記突出部が形成されていない構成を採用することが好ましい。このように、放電管ユニット収容部の奥側（開放側の他方側）の放電管保持具には突出部が形成されないため、放電管ユニットをライトユニット本体の放電管ユニット収容部からスライドする際に、突出部が邪魔とならない。このため、放電管ユニット収容部の大きさを小さく設計することができる。
【００２３】
また、本願発明に係る光学変調表示にあって、請求項２７記載の構成を採用した場合には、請求項２９記載の構成を採用することが好ましい。つまり、放電管、この放電管の両端を保持する一対の放電管保持具、及び、放電管の両端にそれぞれ接続された一対の接続ケーブルが一体化された放電管ユニットを備え、表示装置本体には、前記放電管ユニットが着脱可能にスライド挿入される放電管ユニット収容部が形成されており、前記一対の放電管保持具のうち、放電管ユニット収容部の開放側の放電管保持具には前記突出部が形成され、他方側の放電管保持具には前記突出部が形成されていない構成を採用することが好ましい。このように、放電管ユニット収容部の奥側（開放側の他方側）の放電管保持具には突出部が形成されないため、放電管ユニットを表示装置本体の放電管ユニット収容部からスライドする際に、突出部が邪魔とならない。このため、放電管ユニット収容部の大きさを小さく設計することができる。
【００２４】
【発明の実施の形態】
〈第一実施形態〉
以下、本願発明の第一実施形態について図面を参酌しつつ説明する。なお、図１は、第一実施形態の液晶表示装置（光学変調表示装置）の全体構成を説明するための概略的分解斜視図である。図２は、同実施形態のバックライトユニット（光学変調表示装置用ライトユニット）の全体構成を説明するための概略的分解斜視図である。図３は、同実施形態の冷陰極管ユニット（光学変調表示装置用放電管ユニット）の全体構成を説明するための概略的分解斜視図である。図４は、同実施形態の冷陰極管ユニットの端部を拡大した概略的拡大斜視図である。図５は、同実施形態の冷陰極管ユニットの端部を拡大した概略的拡大平面断面図である。図６は、冷陰極管保持具（放電管保持具）の斜視図である。
【００２５】
第一実施形態の液晶表示装置１の全体構成について概説すると、この液晶表示装置１は、図１に示すように、液晶表示装置１は、液晶層等を含む液晶表示パネル２、および、エッジライト型のバックライトユニット４が積層され、これが保持枠３によって保持されている。
【００２６】
前記バックライトユニット４は、図２に示すように、冷陰極管を含む冷陰極管ユニット４１、および、冷陰極管ユニット４１から照射される光を液晶表示パネル２に導光する導光板４２を備えている。前記冷陰極管ユニット４１は、導光板４２の一端面に配されており、図示例においては、液晶表示パネル２の二つの端面にそれぞれ冷陰極管ユニット４１が配されている。
【００２７】
また、バックライトユニット４は、導光板４２の液晶表示パネル２側に積層された一枚又は複数枚の光学シート４３、および、導光板４２の液晶表示パネル反対側に積層された反射シート（図示省略）を備えており、これらが一体として矩形枠状の支持フレーム４４によって支持されている。
【００２８】
前記冷陰極管ユニット４１は、図３に示すように、冷陰極管４１１、該冷陰極管４１１の両端に電気的に接続される一対の接続ケーブル４１２、冷陰極管４１１の両端部をそれぞれ保持する一対の冷陰極管保持具４１４、および、この冷陰極管保持具４１４が両端に装着された光源カバー４１３を備えている。
【００２９】
前記光源カバー４１３は、導光板４２の端面に対向する一方のみを開放して冷陰極管４１１を囲むような断面略コの字状に形成されている。また、光源カバー４１３は、カバー本体４１３ａが金属製の部材からなり、その内面に反射膜４１３ｂ（反射手段）が取り付けられており（図５参照）、このため、導光板４２の端面側以外に向けて射出された光は、反射膜４１３ｂに導光板４２側に反射されるように設けられている。
【００３０】
また、光源カバー４１３には、背面側（開放側の反対側）の一端に穿孔４１３ｃが形成されている。
【００３１】
前記冷陰極管保持具４１４は、ゴム等の弾性を有する部材から構成され、前記光源カバー４１３の略コの字状の凹部に嵌まり込むように装着される。また、冷陰極管保持具４１４は、図５に示すように、内部に空間部４１４ａが形成されており、この空間部４１４ａにおいて冷陰極管４１１の端部が保持されている。
【００３２】
また、一対の冷陰極管保持具４１４のうち、一方の冷陰極管保持具４１４は、冷陰極管４１１を保持する保持具本体４１５から背面側に突出した突出部４１６が形成されており、装着時において、この突出部４１６は前記光源カバー４１３の穿孔４１３ｃから背面側に突出するように設けられている。なお、この突出部４１６と前記保持具本体４１５とは一体成型されて形成されており、この突出部４１６も弾性復元力を有するものである。
【００３３】
また、この一方の冷陰極管保持具４１４には、前記突出部４１６に、保持している放電管の他端側に電気的に接続された接続ケーブル４１２を挿入可能な開口部４１７が形成され、該開口部４１７に挿入着された接続ケーブル４１２を係止するように設けられており、具体的には、開口部４１７は、光源カバー４１３の背面側を引き回した冷陰極管４１１の他端側に接続された接続ケーブル４１２を係止するように設けられている。なお、この図示例にあっては、開口部４１７は、突出部４１６の背面側に形成されているが、例えば、突出部４１６の上面側や下面側に形成することも可能である。
【００３４】
また、この開口部４１７は、挿入口が内部よりも狭く設けられ、挿入された接続ケーブル４１２の挿入反対方向への離脱を規制するように設けられている。具体的には、突出部４１６には、図４及び図６に示すように、開口部４１７の挿入口側において、開口部４１７の開口を狭める方向に凸部４１７ａが形成されており、この凸部４１７ａによって挿入口が内部よりも狭く設けられている。
【００３５】
また、この一方の冷陰極管保持具４１４には、保持する冷陰極管４１１に接続された接続ケーブル４１２の端部を保持するとともに外部に導出する接続ケーブル導出部４１８が、図５および図６に示すように、保持具本体４１５から正面側に向けて突出して設けられている。なお、この接続ケーブル導出部４１８も、前記突出部４１６及び前記保持具本体４１５と一体成型されて形成されている。
【００３６】
また、この接続ケーブル導出部４１８は、前記冷陰極管４１１を保持するための空間部４１４ａと連通した導出用空間部４１８ａが形成されている（図５参照）。前記接続ケーブル４１２の端部付近は、導出用空間部４１８ａにおいて保持されており、この接続ケーブル４１２のケーブル本体は、この端部から前記空間部４１４ａに向けて突出し、空間部４１４ａにおいて冷陰極管４１１に電気的に接続されている。
【００３７】
また、一対の冷陰極管保持具４１４のうち、他方の冷陰極管保持具４１４は、前記一方の冷陰極管４１１のような突出部４１６は設けられていないが、保持具本体４１５には、冷陰極管４１１の端部を保持する空間部（図示省略）が形成されており、また、この空間部は、背面側が開放されており、この開放部分から前記冷陰極管４１１の他端部に接続された接続ケーブル４１２が表出するように設けられている。また、前記光源カバー４１３には、前記空間部から表出した接続ケーブル４１２に対応する箇所に切り欠き溝（図示省略）が形成されている。つまり、接続ケーブル４１２は、他方の冷陰極管保持具４１４の空間部において冷陰極管４１１に電気的に接続され、空間部の開放部分及び光源カバー４１３の切り欠き溝から光源カバー４１３の背面側に表出するように設けられている。
【００３８】
上記他方側の光源カバー４１３の背面側に表出した他方側の接続ケーブル４１２は、前述の突出部４１６を有する一方側の冷陰極管保持具４１４に向けて光源カバー４１３の背面側を引き回されて、一方側の冷陰極管保持具４１４の開口部４１７に係止されている。このように係止された接続ケーブル４１２は、開口部４１７に設けられた凸部４１７ａによって背面側（挿入反対方向）への離脱が規制されるため、挿入された接続ケーブル４１２が不用意に冷陰極管保持具４１４から離脱しない。しかも、開口部４１７の形成された冷陰極管保持具４１４は、弾性を有する部材から形成されているため、接続ケーブル４１２の挿入着に際しては、開口部４１７の変形により容易に接続ケーブル４１２を挿入着することができる。
【００３９】
また、上記実施形態のように、冷陰極管保持具４１４を光源カバー４１３に装着する方向（背面側）に突出部４１６が形成されていることにより、突出部４１６を押圧することで冷陰極管保持具４１４が光源カバー４１３から離脱するため、メンテナンス等の際に冷陰極管保持具４１４を容易に離脱することができるという利点を有する。
【００４０】
＜第二実施形態＞
次に、本願発明の第二実施形態について、図７を参酌しつつ説明する。なお、図７は、第二実施形態の冷陰極管保持具を拡大した概略的拡大平面図である。また、第一実施形態と同様の構成及び機能を有する部分については、その説明を省略する。
【００４１】
第二実施形態の冷陰極管保持具４１４は、第一実施形態と同様に、開口部４１７を有する突出部４１６が設けられているが、第一実施形態と異なり、突出部４１６が端部側に形成されているものである。つまり、該冷陰極管保持具４１４は、引き回された他方側の接続ケーブル４１２が挿入可能な開口部４１７が、保持具本体４１５から端部側に突出した突出部４１６に形成されているものである。より具体的には、該冷陰極管保持具４１４は、保持具本体４１５から端部側に向けて突出した突出部４１６を有し、この突出部４１６には前記端部側に向けて開放した開口部４１７が形成されているものである。
【００４２】
＜第三実施形態＞
次に、本願発明の第三実施形態について、図８を参酌しつつ説明する。なお、図８は、第三実施形態の冷陰極管保持具を説明する説明図であり、（イ）は概略的斜視図、（ロ）は（イ）の要部拡大図である。また、第一実施形態と同様の構成および機能を有する部分については、その説明を省略する。
【００４３】
第三実施形態の冷陰極管保持具４１４は、第一および第二実施形態と同様に開口部４１７を有する突出部４１６が設けられているが、第一および第二実施形態と異なり、突出部４１６が背面側（冷陰極管ユニットの光照射方向と直交する方向）に形成されている。また、前記突出部４１６の開口部４１７は、内部がテーパ状に形成されており、係止する接続ケーブル４１２の長手方向のスライドを規制するように設けられている。具体的には、接続ケーブル４１２の長手方向に沿って形成された開口部４１７が、冷陰極管４１１の中央部から端部にかけて先細りのテーパ状に形成され、開口部４１７が間隔の狭まった端部側において接続ケーブル４１２を挟持するように設けられている。このように接続ケーブル４１２の長手方向へのスライドを規制することができるため、接続ケーブル４１２の撓みを防止することができる。また、テーパ状の開口部４１７は中央部側（他端側の冷陰極管ホルダ側）が広く設けられているので、装着時に開口部４１７のテーパ面を利用して、容易に挿入着できる利点を有する。
【００４４】
＜第四実施形態＞
次に、本願発明の第四実施形態について、図９を参酌しつつ説明する。なお、図９は、第四実施形態のバックライトユニットの全体構成を説明するための概略的分解斜視図である。
【００４５】
第四実施形態のバックライトユニット４は、第一実施形態と同様の冷陰極管ユニット４１が、導光板の一端面に対向するように配されているが、第四実施形態においては、この冷陰極管ユニット４１が、バックライトユニット本体４６に形成された冷陰極管ユニット収容部４６ａに着脱可能に収容されている。具体的には、前記導光板（図示省略）や支持フレーム４４等からなるバックライトユニット本体４６には、冷陰極管ユニット４１が着脱可能に長手方向にスライド挿入される冷陰極管ユニット収容部４６ａが形成されている。そして、冷陰極管ユニット４１は、前記第一実施形態と同様に、一対の冷陰極管保持具４１４のうち一方の冷陰極管保持具４１４のみに突出部４１６が形成され、他方の冷陰極管保持具４１４には突出部４１６が形成されず、前記突出部４１６が形成された冷陰極管保持具４１４が前記冷陰極管ユニット収容部４６ａの開放側に位置し、前記突出部４１６の形成されない冷陰極管保持具４１４が冷陰極管ユニット収容部４６ａの奥側に位置するように装着されている。また、前記冷陰極管ユニット収容部４６ａは、開放側のみが幅広に設けられ、つまり、装着時において突出部４１６が位置する部位が幅広で、その他の部位は光源カバー４１３および接続ケーブル４１２が介在されるのに充分な幅で形成されている。このため、冷陰極管ユニット４１をバックライトユニット本体４６の冷陰極管ユニット収容部４６ａからスライドする際に、突出部４１６が邪魔とならず、また、冷陰極管ユニット収容部４６ａの大きさを小さく設計することができ、機器の小型化に対応することが可能となる。
【００４６】
＜その他の実施形態＞
なお、上記各実施形態においては、突出部４１６に他方側の接続ケーブル４１２を係止する開口部４１７を形成するものについて説明したが、本願発明において、上記した突出部４１６は必須の構成要件ではなく、たとえば保持具本体に前記開口部を設けることも可能である。また、開口部を有する突出部を設ける場合にあっても、上記実施形態のものに限定されるものではなく、たとえば、開口部を有する突出部が複数設けられているものも本願発明の意図する範囲内であり、例えば第一実施形態のように背面に突出部４１６を設けるとともに第二実施形態のように端部側に突出部４１６を設けることも可能である。また、開口部４１７の形状も上記実施形態のものに限定されるものではなく、たとえば、第二実施形態のようにテーパ状に形成した開口部の挿入口側において、第一実施形態のように開口を狭める方向に凸部を形成したものも本願発明の意図する範囲内である。
【００４７】
また、上記各実施形態の図示例においては何れも冷陰極管４１１が一つのものについてのみ説明したが、冷陰極管が複数本設けられているものも本願発明の意図する範囲内である。また、開口部が複数本の接続ケーブルを係止するように構成することも適宜設計変更可能な事項の範囲内である。
【００４８】
さらに、上記実施形態においてエッジライト式のバックライトユニット４について説明したが、本願発明はこれに限定されるものではなく、直下型バックライト等、その他のバックライトユニット４にも適用できる。つまり、たとえば、図１０に示すように、液晶表示パネル２の裏面側に設けられたバックライトユニット４において、冷陰極管保持具４１４に、他方側の接続ケーブル４１２を挿入可能な開口部４１７を形成することも可能である。なお、図示例のバックライトユニット４は、複数の冷陰極管４１１と、各冷陰極管４１１の端部を保持する冷陰極管保持具４１４と、複数の冷陰極管４１１を一方（液晶表示パネル２側）のみを開放して囲むように配され内面に反射膜（図示省略）を有する光源カバー４１３と、光源カバー４１３の開放側（液晶表示パネル２側）に設けられ冷陰極管４１１の光を拡散する拡散板４１９とから構成されている。そして、前記光源カバー４１３には穿孔４１３ｃが形成されており、冷陰極管保持具４１４はこの穿孔４１３ｃから外部に突出した突出部４１６が設けられ、この突出部４１６には他方側の接続ケーブル４１２を挿入可能な開口部４１７が形成されている。なお、図示例においては、一つの冷陰極管保持具４１４にのみ前記突出部４１６および開口部４１７を形成し、複数本の接続ケーブル４１２を係止するように図示したが、たとえば、光源カバー４１３に複数の穿孔４１３ｃを形成して、複数の冷陰極管保持具４１４に前記突出部４１６を形成するように設計変更することは適宜設計変更可能な事項である。
【００４９】
また、本願発明は、バックライトユニットのみならず、フロントライトユニット４にも適用でき、たとえば、図１１に示すように、液晶表示パネル２の表面側に設けられた導光板４２の側方に冷陰極管ユニット４１を配する液晶表示装置１において、その冷陰極管ユニット４１の冷陰極管保持具４１４に、他方側の接続ケーブル４１２を挿入可能な開口部４１７を形成することも可能である。なお、図示例の冷陰極管保持具４１４には突出部４１６が形成され、この突出部４１６に前記開口部４１７が形成されている。また、図示例の液晶表示パネル２は、たとえば一対のガラス基板２１と、この一対のガラス基板２１の間に介在された液晶層２２と反射層２３とから構成されている。
【００５０】
また、本願発明において、光源カバー４１３は必須の構成要件ではなく、光源カバー４１３を有さないものも本願発明の意図する範囲内である。また、光源カバーを有する場合であっても、上記実施形態のコの字状のものに限られず、例えば略Ｌ字状の形状のものであっても良い。
【００５１】
【発明の効果】
上述のように、本願発明によれば、一端側の放電管保持具によって、放電管の他端側に電気的に接続された接続ケーブルを、係止することができ、このため、容易に他端側の接続ケーブルを容易に係止することかでき、しかも、放電管保持具により他端側の接続ケーブルを係止するものゆえ、部品点数の増加を招かず、コストの低減を図ることができる。
【図面の簡単な説明】
【図１】本願発明の第一実施形態の液晶表示装置（光学変調表示装置）の全体構成を説明するための概略的分解斜視図である。
【図２】第一実施形態のバックライトユニット（光学変調表示装置用ライトユニット）の全体構成を説明するための概略的分解斜視図である。
【図３】第一実施形態の冷陰極管ユニット（光学変調表示装置用放電管ユニット）の全体構成を説明するための概略的分解斜視図である。
【図４】第一実施形態の冷陰極管ユニットの端部を拡大した概略的拡大斜視図である。
【図５】第一実施形態の冷陰極管ユニットの端部を拡大した概略的拡大平面断面図である。
【図６】第一実施形態の冷陰極管保持具（放電管保持具）の斜視図である。
【図７】第二実施形態の冷陰極管保持具を拡大した概略的拡大平面図である。
【図８】第三実施形態の冷陰極管保持具を説明する説明図であり、（イ）は概略的斜視図、（ロ）は（イ）の要部拡大図である。
【図９】第四実施形態のバックライトユニットの全体構成を説明するための概略的分解斜視図である。
【図１０】本願発明のその他の実施形態の液晶表示装置（直下型バックライトユニット）の全体構成を説明するための概略的断面図である。
【図１１】本願発明のその他の実施形態の液晶表示装置（フロントライトユニット）の全体構成を説明するための概略的断面図である。
【符号の説明】
１        液晶表示装置
２        液晶表示パネル
３        保持枠
４        バックライトユニット
４１      冷陰極管ユニット
４１１    冷陰極管
４１２    接続ケーブル
４１３    光源カバー
４１３ａ  カバー本体
４１３ｂ  反射膜（反射手段）
４１３ｃ  穿孔
４１４    冷陰極管保持具
４１４ａ  空間部
４１５    保持具本体
４１６    突出部
４１７    開口部
４１７ａ  凸部
４１８    接続ケーブル導出部
４１８ａ  導出用空間部
４２      導光板
４３      光学シート
４４      支持フレーム
４６      バックライトユニット本体
４６ａ    冷陰極管ユニット収容部
【図１】
2004212574.tif 000003
【図２】
2004212574.tif 000004
【図３】
2004212574.tif 000005
【図４】
2004212574.tif 000006
【図５】
2004212574.tif 000007
【図６】
2004212574.tif 000008
【図７】
2004212574.tif 000009
【図８】
2004212574.tif 000010
【図９】
2004212574.tif 000011
【図１０】
2004212574.tif 000012
【図１１】
2004212574.tif 000013